(57)【要約】      （修正有）【課題】簡素な構成によりオーディオの音質調整を行う。【解決手段】音質調整回路は、１つのコンデンサＣ１に別のコンデンサＣ２と抵抗Ｒ１の直列接続回路を並列接続した回路であり、抵抗値を変えることで自由に音質を調整できるようにするものである。１つ目のコンデンサＣ１は、標準的に使われているものでその音質は平凡なものである。追加するコンデンサＣ２は、特性、特に等価抵抗特性が良好なもので、音質への影響は過剰でむしろ音質の悪化を招くものである。そこに抵抗を挿入するとその効果によりその音質変化は緩やかになる。それにより、２種類のコンデンサの相乗的効果により音質は向上し、希望の音質が得られる。【選択図】図１
2016174344.tif 000002
【特許請求の範囲】
【請求項１】
オーディオ電子回路の音質調整手段であって、１つのコンデンサに別のコンデンサと抵抗の直列回路を並列に接続した音質調整を行う電子回路。
【請求項２】
前記回路に於いて、抵抗を可変抵抗にして音質を連続可変とした回路。
【請求項３】
前記回路に於いて、抵抗をスイッチで切り替え音質を可変する回路。
【発明の詳細な説明】
【技術分野】
【０００１】  本発明は、オーディオ回路の音質を調整するための技術に関する。
【背景技術】
【０００２】  オーディオ回路において、１つのコンデンサに別の種類のコンデンサを並列に接続する事で音質調整を行う事は広く行われている。例えば、電解コンデンサにフィルムコンデンサを並列接続すると音質が向上する事が知られている。【０００３】  前記以外の方法として、大容量のコンデンサで良好な音質が得られない場合、音質の良い小容量のコンデンサを複数個並列接続する方法がある。このようにすると、大容量のコンデンサと同容量でしかも音質が向上したコンデンサとなる。【０００４】  以上の方法においては追加するコンデンサまたは複数並列にするコンデンサに希望の音質の物が得られない場合があるという不都合がある。この場合、最適なものが見つかるまで音質検討、測定を行う必要がある。
【先行技術文献】
【特許文献】
【０００５】
【特許文献１】特開平６−２９２２９５号公報
【発明の概要】
【発明が解決しようとする課題】
【０００６】  本発明に掛かる具体的態様は、背景技術において述べられた方法と同等の簡素な構造で音質を自由に変更できる技術を提供することを目的とする。
【課題を解決するための手段】
【０００７】  本発明に係る音質調整回路は、オーディオ機器の音質を調整する為のものであり１つのコンデンサにそれとは別のコンデンサと抵抗の直列回路を並列接続したものとする音質を調整する電子回路である。この回路は、オーディオ回路の信号通過部分及び電源回路に使用され、音質的に問題のあるコンデンサの音質を改善することを目的としている。【０００８】  これらのコンデンサとして、１つ目のコンデンサは、一般的な音質を持つコンデンサであり、汎用的なものを使用する。廉価あるいは中価格帯オーディオ製品であれば、前記コンデンサだけで回路を構成するものである。さらに前記コンデンサの等価抵抗特性も一般的なもので特に性能が良い物ではない。【０００９】  上記コンデンサに加えるコンデンサは、等価直列抵抗特性が良く音質も上記コンデンサよりも格段に良い物を必要とする。この場合に単純に並列接続してしまうと特性の良い部分に関連する中高音域の音質の向上だけが目立ってしまい総合的には良い音質とは言えない。人間の判断力はコンデンサの特性の良化とは比例しない場合があり、特性の良いコンデンサを並列に追加すると、音の情報量が過剰に増加し、異常な音、例えばエコーが多く掛かったように聴こえ変な音として認識されてしまう場合がある。【００１０】  そこで良好な音質となる様に加える側のコンデンサに抵抗を直列に挿入し、１つ目のコンデンサに並列接続する。それにより所望の音質が得られる。
抵抗値は、本明細書の項目、発明を実施するための形態では１０オームを例示しているが音の良いとの判断基準は各様であり一定していない。コンデンサの一般的な特性からこの抵抗値は１００オーム以下である。【００１１】  前記の抵抗を可変抵抗とし、製品パネルに設置すればいつでも細かな音質調整が可能となる。さらにスイッチを用いて抵抗値を切り替える回路とすれば製品パネル上で簡単に音質の調整、変更が可能となる。さらに１つ目のコンデンサに並列接続される回路は複数個あっても良く、スイッチに接続される抵抗を可変抵抗としても良い。
【発明の効果】
【００１２】  本発明により従来は時間が必要であった音質調整が簡単にしかも少数の部品の追加だけで実現できるようになる。さらに、後からでも音質の調整が安価で手軽にできるようになる。
【図面の簡単な説明】
【００１３】
【図１】本発明の第一の実施形態の音質調整回路図である。
【図２】本発明の回路の特性を説明するための図である。
【図３】本発明の第二の実施形態の音質調整回路図である。
【図４】本発明の第三の実施形態の音質調整回路図である。
【発明を実施するための形態】
【００１４】  以下に本発明の実施の形態について図面を参照しながら説明する。
【実施例１】
【００１５】  図１は、第一の実施形態の音質調整回路図である。図１に示される回路図で、回路に通常使われる一般的なコンデンサＣ１、それに並列接続されるコンデンサＣ２と抵抗Ｒ１の直列接続回路、それら３部品で音質調整回路を構成する。【００１６】  信号は左側端子１から入り、上下の回路に分流される。分流の割合は、コンデンサＣ１の等価抵抗と、コンデンサＣ２の等価抵抗とＲ１の合成抵抗の比率で決定される。例えば、信号が流れる比率を上側を５、下側を１とすると、おのおののコンデンサの音質への影響は概略５：１となる。そしてそれぞれの信号は最後に合流され右側端子２から出力される。【００１７】  図２は、上記の信号の分流による音質変化を回路の特性曲線で示した図である。横軸は周波数、縦軸は等価抵抗である。図２の曲線は、図１の各部分の等価抵抗特性を示す。実線で示されているのは、コンデンサＣ１の等価抵抗特性３である。この等価抵抗特性３は、１００マイクロファラッドの電解コンデンサの特性を例示している。２点鎖線は、追加されるコンデンサＣ２の等価抵抗特性４であり、１２０マイクロファラッドの電解コンデンサの特性を例示している。等価抵抗値は、１つ目のコンデンサＣ１よりも低くなっており音質も異なるものである。【００１８】  なお、図２の特性曲線において右下がりの直線は、コンデンサの容量値に起因する特性であり理想的には直線である。途中で平行線に近づく右側部分は理想的なコンデンサの特性から外れた部分である。従って、コンデンサＣ２の特性は理想に近いものである。【００１９】  点線は、コンデンサＣ２と抵抗Ｒ１の直列接続回路の等価抵抗特性５である。等価抵抗特性５の抵抗値は１０オームであり特性曲線の右側は１０オームとなっている。一点鎖線は、回路全体の特性６である。この特性曲線６から、この音質調整回路は、Ｃ１の特性にＣ２の特性を反映したものであることがわかる。【００２０】  以上のように１つ目のコンデンサＣ１に別のコンデンサＣ２と抵抗Ｒ１の直列接続回路を並列接続すると接続されたコンデンサＣ２の音質が１つ目のコンデンサＣ１の音質にある一定量加えられる音質調整回路が形成されることがわかる。
【実施例２】
【００２１】  本発明の実施例２を図３に示す。図３は、図１の抵抗を可変抵抗ＶＲ１に変更したもので、音質調整が連続可変でき、調整ツマミをパネル面に出すことで音質をいつでも自由に調整することが可能となる。
【実施例３】
【００２２】  本発明の実施例３を図４に示す。図４は、図３の可変抵抗ＶＲ１の代わりにスイッチ９を用い抵抗７、抵抗８を切り替えるようにしたもので、音質を手軽に切り替えることが可能となる。
【符号の説明】
【００２３】  １  ・・・音質調整回路の片側の端子
２  ・・・音質調整回路の反対側の端子
３  ・・・１つ目のコンデンサＣ１の等価抵抗特性
４  ・・・追加するコンデンサＣ２の等価抵抗特性
５  ・・・コンデンサＣ２と抵抗Ｒ２の直列接続回路の等価抵抗特性
６  ・・・音質調整回路全体の等価抵抗特性
７  ・・・１つ目の音質調整抵抗
８  ・・・２つ目の音質調整抵抗
９  ・・・音質切り替えスイッチ
【図１】
2016174344.tif 000003
【図２】
2016174344.tif 000004
【図３】
2016174344.tif 000005
【図４】
2016174344.tif 000006